(57)【要約】      （修正有）【課題】ワイヤーが複数の段に重畳されるように巻かれなくて、１つの段のみで折り曲げられてなされたスプリング構造により、携帯端末機のカバーの半自動開閉のための充分の力を提供し、かつ、その厚みを最小化し、スプリング設置による携帯端末機の厚みの増加がほぼないようにしたスライドタイプ携帯端末機用スプリング、及びこれを用いた携帯端末機を提供する。【解決手段】スプリングの場合、ワイヤーが積層されることなしに、アーチ形態で折り曲げられた第１曲線区間３１０Ａを備えて第１曲線区間の曲率が変化すれば、原に復しようとする弾性の傾向を有する第１弾性体３５０Ａと、ワイヤーが積層されることなしに、アーチ形態で折り曲げられた第２曲線区間３１０Ｂを備えて第２曲線区間の曲率が変化すれば、原に復しようとする弾性傾向を有する第２弾性体３５０Ｂと、第１弾性体及び第２弾性体を中間で連結する連結体３３０を含んで構成される。【選択図】図５
2008170002.tif 000002
【特許請求の範囲】
【請求項１】
カバーがメイン本体に対してスライディング開閉されるスライドタイプ携帯端末機であって、
ワイヤーが積層されることなしに、アーチ形態で折り曲げられた第１曲線区間を備えて前記第１曲線区間の曲率が変化すれば、原に復しようとする弾性傾向を有する第１弾性体と、
ワイヤーが積層されることなしに、アーチ形態で折り曲げられた第２曲線区間を備えて前記第２曲線区間の曲率が変化すれば、原に復しようとする弾性傾向を有する第２弾性体と、
前記第１弾性体及び第２弾性体を中間で連結する連結体と、を含んで構成されることを特徴とするスライドタイプ携帯端末機用スプリング。
【請求項２】
前記連結体と連結されていない第１弾性体と第２弾性体の各端部は前記携帯端末機のメイン本体とカバーに各々結合されて第１支持点と第２支持点をなし、
前記カバーの開閉時、前記第１支持点と第２支持点の距離が最小に狭まる時を遷移点にし、前記遷移点を過ぎない距離以内では前記カバーが閉じる方向に力を提供し、前記遷移点を過ぎた距離の以外では前記カバーが開く方向に力を提供することを特徴とする請求項１に記載のスライドタイプ携帯端末機用スプリング。
【請求項３】
１つのワイヤーが折り曲げられて、順に前記第１弾性体、連結体及び第２弾性体の鎖状構造をなすことを特徴とする請求項１に記載のスライドタイプ携帯端末機用スプリング。
【請求項４】
前記連結体は左右対称形であり、前記連結体を中心に前記第１弾性体と第２弾性体は相互左右対称の形態で形成されたことを特徴とする請求項１に記載のスライドタイプ携帯端末機用スプリング。
【請求項５】
前記連結体はプレート形態で備えられ、前記連結体の左右両側に各々第１弾性体及び第２弾性体が連結されることを特徴とする請求項１に記載のスライドタイプ携帯端末機用スプリング。
【請求項６】
前記連結体の両側には前記第１弾性体及び第２弾性体の連結のために前記第１弾性体及び第２弾性体が挟まれる嵌入溝が形成され、かつ、前記嵌入溝は、前記第１弾性体及び第２弾性体の端部が位置する部位は前記端部を固定させることができる符合した形態で形成され、前記曲線区間が位置する部位は前記曲線区間の曲率変化を許すように外側へ行くほど広く形成されることを特徴とする請求項５に記載のスライドタイプ携帯端末機用スプリング。
【請求項７】
前記連結体の前面に前記第１弾性体が連結され、前記連結体の後面に前記第２弾性体が連結されることを特徴とする請求項５または６に記載のスライドタイプ携帯端末機用スプリング。
【請求項８】
前記連結体は摩擦防止のためのＰＯＭ（polyoxymethylene）材質からなることを特徴とする請求項５または６に記載のスライドタイプ携帯端末機用スプリング。
【請求項９】
前記連結体は、前記第１弾性体及び第２弾性体より柔らかい材質である固体シリコンまたはポリアセタールから構成されて、前記遷移点を前後して前記第１弾性体及び第２弾性体から発生する振動及び衝撃を吸収することを特徴とする請求項５または６に記載のスライドタイプ携帯端末機用スプリング。
【請求項１０】
メイン本体と、
前記メイン本体の前側に位置して上下方向にスライディング開閉されるカバーと、
前記メイン本体またはカバーに結合されるベースプレートと、
前記ベースプレートが結合されていない前記カバー、またはメイン胴体に結合され、前記ベースプレートに上下スライディング可能に結合されるマウントプレートと、
ワイヤーが積層されることなしに、アーチ形態で折り曲げられた第１曲線区間を備えて、前記第１曲線区間の曲率が変化すれば、原に復しようとする弾性傾向を有する第１弾性体と、ワイヤーが積層されることなしに、アーチ形態で折り曲げられた第２曲線区間を備えて前記第２曲線区間の曲率が変化すれば、原に復しようとする弾性傾向を有する第２弾性体と、
前記第１弾性体及び第２弾性体を中間で連結する連結体とを含んでなされ、
前記ベースプレートとマウントプレートとの間で前記連結体と連結されていない第１弾性体と第２弾性体の各端部は前記ベースプレート及びマウントプレートに結合されて第１支持点と第２支持点をなし、前記カバーの開閉時、前記第１支持点と第２支持点の距離が最小に狭まる時を遷移点にして、前記遷移点を過ぎない距離以内では前記カバーが閉じる方向に力を提供し、前記遷移点を過ぎた距離以外では前記カバーが開く方向に力を提供することを特徴とする携帯端末機。
【請求項１１】
１つのワイヤーが折り曲げられて順に前記第１弾性体、連結体及び第２弾性体の鎖状構造をなし、前記連結体は左右対称形であり、前記連結体を中心に前記第１弾性体と第２弾性体は相互間に左右対称の形態で形成されることを特徴とする請求項１０に記載の携帯端末機。
【請求項１２】
前記連結体は、プレート形態で備えられて左右両側に各々第１弾性体及び第２弾性体が連結され、前記連結体の両側には前記第１弾性体及び第２弾性体の連結のために前記第１弾性体及び第２弾性体が挟まれる嵌入溝が形成され、かつ、前記嵌入溝は前記第１弾性体及び第２弾性体の端部が位置する部位は前記端部を固定させることができる符合した形態で形成され、前記曲線区間が位置する部位は前記曲線区間の曲率変化を許すように外側へ行くほど広く形成されることを特徴とする請求項１０に記載の携帯端末機。
【請求項１３】
前記連結体の前面に前記第１弾性体が連結され、前記連結体の後面に前記第２弾性体が連結され、前記連結体は摩擦防止のためのＰＯＭ（polyoxymethylene）材質からなることを特徴とする請求項１２に記載の携帯端末機。
【請求項１４】
前記スプリングは２つが１対で備えられ、かつ、相互間に上下対称するように備えられることを特徴とする請求項１０に記載の携帯端末機。
【請求項１５】
前記ベースプレートは、左右両端部に内側に折れたコの字型の嵌入部が上下方向に沿って形成されて、前記嵌入部に各々挟まれて、内側にはスライディングスリットが形成されたブラケットを更に備え、
前記マウントプレートは、左右両端部に外側に折れて前記スライディングスリットに対応してスライディング可能に挟まれるＬ字型のスライディング片を備えることを特徴とする請求項１０に記載の携帯端末機。
【発明の詳細な説明】
【技術分野】
【０００１】
本発明は、携帯端末機に関し、特にワイヤーが複数の段で重畳するように巻かれなくて１つの段のみで折り曲げられてなされたスプリング構造により携帯端末機カバーの半自動開閉のための充分の力を提供し、かつ、その厚みが最小化できるようになって、スプリング設置に従う携帯端末機の厚みの増加がほぼないようにしたスライドタイプ携帯端末機用スプリング及びこれを用いた携帯端末機に関する。
【背景技術】
【０００２】
一般に、通信端末機は有無線通信端末機に区分でき、有線通信端末機は事務用や家庭用電話機が代表的であり、無線通信端末機はＰＣＳ、セルラーフォンまたはＰＤＡが代表的な例である。通常、無線通信端末機は、使用者に携帯及び移動性を提供するため、移動通信端末機または携帯端末機と命名されることもある。
【０００３】
このような携帯端末機は、その技術の発達により単純な音声情報のみを伝達する段階を越えて、文字情報、画像情報、ゲームなどを使用者に提供するが、その種類は、バー型（bar type）、蓋を備えたフリップ型（flip type）及びフォルダ型（folder type）に大別される。
【０００４】
フォルダ型携帯端末機は、通話や携帯時、フォルダを開いて閉じることができる構造からなって、バー型またはフリップ型携帯端末機が有する長さが長いという問題点が解決できるが、上部フォルダと下部フォルダを連結するヒンジ部分が損傷しやすいという問題点がある。
【０００５】
このようなフォルダ型携帯端末機の問題点を解決するために、携帯端末機の本体に対してフォルダがスライディング方式（sliding type）で半自動で上下移動するスライディング型携帯端末機が提示されている。スライディング型携帯端末機は多くはトーションスプリング（torsion spring）の弾性力を用いて携帯端末機の本体に対してカバーを半自動でスライディングさせて開閉する。
【０００６】
図１は、従来技術のトーションスプリングを用いた携帯端末機用ヒンジモジュールを示す斜視図である。
【０００７】
図１を参照すれば、従来の携帯端末機用ヒンジモジュールは、携帯端末機のメイン胴体に対してカバーを半自動でスライディングさせて開閉する役割をするように構成されていた。
【０００８】
したがって、使用者が携帯端末機のカバーを上に押すと前記カバーが前記メイン胴体に対して所定位置まで手動で移動されてから所定の位置を過ぎればヒンジモジュール３０のトーションスプリング３６に蓄積された弾性復原力により自動でスライディングされながらカバーが開放されるように設計されている。
【０００９】
しかしながら、カバーに弾性復原力を提供するために備えられていたトーションスプリング３６の場合、弾性復原力が提供できる構造を有するようにするために、ワイヤーを最小２つの段に積層させて縒って作られた。このような形態によれば、ワイヤーが複数の段に積層される積層区間３６Ａを有することが不回避な構造的な限界を持たざるをえない。したがって、このようなトーションスプリング３６の積層区間３６Ａはそのまま携帯端末機の厚み増加に繋がる問題点をもたらした。例えば、ワイヤーの１つの直径を０．４５［ｍｍ］とした時、弾性復原力を有するトーションスプリング３６を備える場合、ワイヤーが積層された積層区間３６Ａにより最小０．９［ｍｍ］の損失幅が発生されるものである。したがって、このようなトーションスプリング３６は携帯端末機の超スリム化が１つの流れになった最近の傾向から見れば、少なくない問題点と作用せざるをえないものである。
【００１０】
のみならず、前記トーションスプリング３６はカバーの開閉距離が長い場合に適用し難いという問題点を有してあったのであり、カバーを柔らかく開閉することに相当な困難があった。
【００１１】
一方、前記トーションスプリング３６を回避するために、よく設けられる圧縮スプリングや引張スプリングの場合には、２．５［ｍｍ］程度の損失幅が発生する等の問題がより深刻であった。
【発明の開示】
【発明が解決しようとする課題】
【００１２】
本発明は、前記のような従来の諸問題を解消するために案出したものであって、本発明の目的は、製品の厚みの増加を最小化するためにワイヤーが複数の段に重畳するように巻かれなくて、１つの段のみで折り曲げられてなされたスプリング構造を有するスライドタイプ携帯端末機用スプリング及びこれを用いた携帯端末機を提供することにある。
【課題を解決するための手段】
【００１３】
前記の目的を達成するために、本発明の技術的思想によるスライドタイプ携帯端末機用単層スプリングは、ワイヤーが積層されることなしに、アーチ形態で折り曲げられた第１曲線区間を備えて前記第１曲線区間の曲率が変化すれば、原に復しようとする弾性傾向を有する第１弾性体と、ワイヤーが積層されることなしに、アーチ形態で折り曲げられた第２曲線区間を備えて前記第２曲線区間の曲率が変化すれば、原に復しようとする弾性傾向を有する第２弾性体と、前記第１弾性体及び第２弾性体を中間で連結する連結体と、を含んで構成されることをその技術的構成上の特徴とする。
【００１４】
ここで、前記連結体と連結されていない第１弾性体と第２弾性体の各端部は前記携帯端末機のメイン本体とカバーに各々結合されて第１支持点と第２支持点をなし、前記カバーの開閉時、前記第１支持点と第２支持点の距離が最小に狭まる時を遷移点にし、前記遷移点を過ぎない距離以内では前記カバーが閉じる方向に力を提供し、前記遷移点を過ぎた距離の以外では前記カバーが開く方向に力を提供することを特徴とすることができる。
【００１５】
また、１つのワイヤーが折り曲げられて、順に前記第１弾性体、連結体及び第２弾性体の鎖状構造をなすことを特徴とすることができる。
【００１６】
また、前記連結体は左右対称形であり、前記連結体を中心に前記第１弾性体と第２弾性体は相互左右対称の形態で形成されたことを特徴とすることができる。
【００１７】
また、前記連結体はプレート形態で備えられ、前記連結体の左右両側に各々第１弾性体及び第２弾性体が連結されることを特徴とすることができる。
【００１８】
また、前記連結体の両側には前記第１弾性体及び第２弾性体の連結のために前記第１弾性体及び第２弾性体が挟まれる嵌入溝が形成され、かつ、前記嵌入溝は、前記第１弾性体及び第２弾性体の端部が位置する部位は前記端部を固定させることができる符合した形態で形成され、前記曲線区間が位置する部位は前記曲線区間の曲率変化を許すように外側へ行くほど広く形成されることを特徴とすることができる。
【００１９】
また、前記連結体の前面に前記第１弾性体が連結され、前記連結体の後面に前記第２弾性体が連結されることを特徴とすることができる。
【００２０】
また、前記連結体は摩擦防止のためのＰＯＭ（polyoxymethylene）材質からなることを特徴とすることができる。
【００２１】
また、前記連結体は、前記第１弾性体及び第２弾性体より柔らかい材質である固体シリコンまたはポリアセタールから構成されて、前記遷移点を前後して前記第１弾性体及び第２弾性体から発生する振動及び衝撃を吸収することを特徴とすることができる。
【００２２】
一方、本発明の携帯端末機は、メイン本体と、前記メイン本体の前側に位置して上下方向にスライディング開閉されるカバーと、前記メイン本体またはカバーに結合されるベースプレートと、前記ベースプレートが結合されていない前記カバー、またはメイン胴体に結合され、前記ベースプレートに上下スライディング可能に結合されるマウントプレートと、ワイヤーが積層されることなしに、アーチ形態で折り曲げられた第１曲線区間を備えて、前記第１曲線区間の曲率が変化すれば、原に復しようとする弾性傾向を有する第１弾性体と、ワイヤーが積層されることなしに、アーチ形態で折り曲げられた第２曲線区間を備えて前記第２曲線区間の曲率が変化すれば、原に復しようとする弾性傾向を有する第２弾性体と、前記第１弾性体及び第２弾性体を中間で連結する連結体を含んでなされ、前記ベースプレートとマウントプレートとの間で前記連結体と連結されていない第１弾性体と第２弾性体の各端部は前記ベースプレート及びマウントプレートに結合されて第１支持点と第２支持点をなし、前記カバーの開閉時、前記第１支持点と第２支持点の距離が最小に狭まる時を遷移点にして、前記遷移点を過ぎない距離以内では前記カバーが閉じる方向に力を提供し、前記遷移点を過ぎた距離以外では前記カバーが開く方向に力を提供するスプリングを含むことをその技術的構成上の特徴とする。
【００２３】
ここで、１つのワイヤーが折り曲げられて順に前記第１弾性体、連結体及び第２弾性体の鎖状構造をなし、前記連結体は左右対称形であり、前記連結体を中心に前記第１弾性体と第２弾性体は相互間に左右対称の形態で形成されることを特徴とすることができる。
【００２４】
また、前記連結体は、プレート形態で備えられて左右両側に各々第１弾性体及び第２弾性体が連結され、前記連結体の両側には前記第１弾性体及び第２弾性体の連結のために前記第１弾性体及び第２弾性体が挟まれる嵌入溝が形成され、かつ、前記嵌入溝は前記第１弾性体及び第２弾性体の端部が位置する部位は前記端部を固定させることができる符合した形態で形成され、前記曲線区間が位置する部位は前記曲線区間の曲率変化を許すように外側へ行くほど広く形成されることを特徴とすることができる。
【００２５】
また、前記連結体の前面に前記第１弾性体が連結され、前記連結体の後面に前記第２弾性体が連結され、前記連結体は摩擦防止のためのＰＯＭ（polyoxymethylene）材質からなることを特徴とすることができる。
【００２６】
また、前記ベースプレートは、左右両端部に内側に折れたコの字型の嵌入部が上下方向に沿って形成されて、前記嵌入部に各々挟まれて、内側にはスライディングスリットが形成されたブラケットを更に備え、前記マウントプレートは、左右両端部に外側に折れて前記スライディングスリットに対応してスライディング可能に挟まれるＬ字型のスライディング片を備えることを特徴とすることができる。
【発明の効果】
【００２７】
以上、説明したように、本発明によるスライドタイプ携帯端末機用スプリング及びこれを用いた携帯端末機は、複数の階に巻かれなくて、単に１つの層に折り曲げられて形成された単層スプリング構造により携帯端末機の厚みの増加を最小に縮めることができる。
【００２８】
また、本発明は、連結体を別途の材質で構成する場合、スプリングの反動により引起こされる振動及び衝撃を吸収してカバーの開閉動作が非常に柔らかくなされる。
【発明を実施するための最良の形態】
【００２９】
以下、前記のような本発明の技術的思想に係る実施形態を添付の図面を参照しつつ具体的に説明すれば、次の通りである。
【００３０】
〔実施形態〕
図２及び図３は、本発明による携帯端末機のスライディング開閉状態を示す使用状態図である。
【００３１】
図示したように、本発明は、メイン本体Ｍに対してカバーＣが半自動でスライディング開閉されるスライドタイプ携帯端末機であり、その内部にはワイヤーが複数の段に重畳されるように巻かれなくて１つの段のみで折り曲げられてなされた単層スプリングが設けられる。前記単層スプリングは携帯端末機の前後の厚みを最大限縮めることができるようにしながらもカバーのスライディング開閉動作は安定的に遂行することができる弾性力を提供してくれる。
【００３２】
以下、本発明の構成を前記単層スプリングを中心にして詳細に説明する。
【００３３】
図４は本発明の単層スプリングを含んでいるヒンジモジュールの分解斜視図であり、図５は本発明による単層スプリングを説明するための平面図である。
【００３４】
図示したように、本発明の単層スプリング３００をはじめとしてベースプレート１００及びマウントプレート２００を含んでいるヒンジモジュールはメイン本体に対してカバーが半自動でスライディング開閉可能にメイン本体とカバーを結合する役割をする。前記ヒンジモジュールはカバーの半自動開閉のための弾性力を提供するためにワイヤーが複数の段に重畳されるように巻かれなくて単に１つ段のみで折り曲げられてなされた構造を有する単層スプリング３００を採択することによって、ヒンジモジュール自体の厚みと携帯端末機の全体の厚みを最大限縮められることになる。下記では、前記ヒンジモジュールをなしている各構成要素の各々の構成を説明する。
【００３５】
前記スプリング３００は、前記ベースプレート１００とマウントプレート２００との間に設けられる。前記スプリング３００は、第１弾性体３５０Ａ、第２弾性体３５０Ｂ及び連結体３３０を含んで構成される。前記スプリング３００の全体的な形態は１つのワイヤーが折り曲げられて順に第１弾性体３５０Ａ、連結体３３０及び第２弾性体３５０Ｂの鎖状構造をなしている。前記第１弾性体３５０Ａはワイヤーが積層されることなしに、アーチ形態で折り曲げられた第１曲線区間３１０Ａを備えて前記第１曲線区間３１０Ａの曲率が変化すれば、原に復しようとする弾性傾向を有する。同様に、第２弾性体３５０Ｂやはりワイヤーが積層されることなしに、アーチ形態で折り曲げられた第２曲線区間３１０Ｂを備えて前記第２曲線区間３１０Ｂの曲率が変化すれば、原に復しようとする弾性傾向を有する。この時、前記第１弾性体３５０Ａと第２弾性体３５０Ｂの折り曲げられた方向は重要ではないが、可能であれば、左右対称の形態になることができるようにする。これは、全スプリング３００を基準に変曲時、偏心による力の偏りを縮めるためである。前記第１弾性体３５０Ａと第２弾性体３５０Ｂの各端部は、前記ベースプレート１００及びマウントプレート２００に結合されて第１支持点３５１Ａと第２支持点３５１Ｂをなすことになる。前記スプリング３００の第１支持点３５１Ａは前記ベースプレート１００に固定され、第２支持点３５１Ｂは前記マウントプレート２００に固定される。このために、第１拘束ピン１６０と第２拘束ピン２６０が備えられて、前記第１弾性体３５０Ａと第２弾性体３５０Ｂの端部の巻かれた部位の中央を各々挿した状態で前記ベースプレート１００とマウントプレート２００に結合される。参考に、前記ベースプレート１００とマウントプレート２００に形成されたピン孔１５０、２５０は、前記第１拘束ピン１６０と第２拘束ピン２６０が挟まれるために設けられたものであって、前記第１支持点３５１Ａと第２支持点３５１Ｂが位置する地点となる。一方、前記連結体３３０は、前記第１弾性体３５０Ａ及び第２弾性体３５０Ｂを中間で連結してあり、その役割は前記第１弾性体３５０Ａ及び第２弾性体３５０Ｂとは異に、カバーに弾性力を提供することにあるのでなく、前記第１弾性体３５０Ａ及び第２弾性体３５０Ｂを単純に連結することにある。
【００３６】
このような本発明のスプリング３００は、厚みの薄い１つのワイヤーが巻かれて複数の段に積層されなくて、単に１つの段のみで折り曲げられた形態で構成されていることが分かる。これは弾性復原力を有するようにワイヤーを縒って作った形態の従来のトーションスプリング３００が最小２つの段を積層させた積層区間を有することとは対照的である。したがって、本発明のスプリング３００は、スプリングの積層構造により損失される厚みだけを節約することができる。即ち、本発明に使われるワイヤー１つの直径を０．４５［ｍｍ］とした時、弾性復原力を有する本発明のスプリング３００が甘受しなければならない損失幅が略０．４５［ｍｍ］に過ぎない。一方、従来技術によるトーションスプリング３００は、最小０．９［ｍｍ］の損失幅が要求され、前記トーションスプリング３００を回避するために使われる圧縮スプリング３００や引張スプリング３００などはおおよそ２．５［ｍｍ］位の損失幅を甘受しなければならない。
【００３７】
このような構成により、前記カバーの開閉時、前記第１支持点３５１Ａと第２支持点３５１Ｂの距離が最小に狭まる時を遷移点として、前記遷移点を過ぎない距離以内では前記カバーが閉じる方向に力を提供し、前記遷移点を過ぎた距離以外では前記カバーが開く方向に力が提供できるようになる。ここで、本発明のスプリング３００は、前記ベースプレート１００とマウントプレート２００との間に２つが１対で備えられ、この２つは上下側で互いに対称の形態で互いに対向するように設けられる。したがって、前記スプリング３００が互いに上下対称の構造で２つが一対で設置されれば、カバーの開閉のために要求される弾性力を容易に充足させて提供することができ、震えや振動なしに、よりやさしくて、かつ安定した開閉が可能になる。
【００３８】
前記ベースプレート１００はメイン本体に固定されて前記マウントプレート２００が上下方向にスライディングできるようにレールの役割をすることになる。このために、前記ベースプレート１００は左右両端部に各々内側に折れたコの字型の嵌入部１１０が上下方向に沿って形成される。そして、前記嵌入部１１０には前記マウントプレート２００を案内するためのブラケット１３０が挟まれて設けられる。前記ブラケット１３０は前記マウントプレート２００の案内のために内側に上下方向に形成されたスライディングスリット１３０Ａを備える。
【００３９】
前記マウントプレート２００は左右両端部に外側に折れ、前記ブラケット１３０のスライディングスリット１３０Ａにスライディング可能に挟まれるＬ字型のスライディング片２１０を備える。前記マウントプレート２００は互いに対応してスライディング可能に結合された前記ブラケット１３０のスライディングスリット１３０Ａと前記スライディング片２１０により前記ベースプレート１００から上下方向へ円滑にスライディングできる。
【００４０】
以下、添付した図６乃至図８を参照しつつ本発明に係るヒンジモジュールの動作を説明する。
【００４１】
まず、図６は携帯端末機のメイン本体に対してカバーが閉じている初期状態でヒンジモジュールの状態が図示された。この状態ではスプリング３００に外力が作用しない中で、第１支持点３５１Ａと第２支持点３５１Ｂが互いに対角方向に位置してあり、相互間の距離が遠のいている。この状態は前記スプリング３００が完全に、または、それに近く弛緩した状態で外力が加えられない限り、カバーは持続的に開こうとしない傾向を有する。
【００４２】
以後、前記カバーで開く方向に力が加えられれば、カバーに結合されいるマウントプレート２００がスライディングして上方に移動することになる。すると、前記スプリング３００の第１支持点３５１Ａと第２支持点３５１Ｂの間隔が順次に低減することになる。これによって、スプリング３００の第１弾性体３５０Ａと第２弾性体３５０Ｂは、曲線区間３１０Ａ、３１０Ｂで変曲されながら弾性エネルギーを順次に蓄積することになって、原に復しようとする傾向を有することになる。しかしながら、このような傾向に反して、続けて前記マウントプレート２００に外力が加えられれば、ついに図７のような状態に到達することになる。
【００４３】
図７は、前記第１支持点３５１Ａと第２支持点３５１Ｂの間隔が減って、その間隔が最小に狭まった時である。この時は、第１弾性体３５０Ａと第２弾性体３５０Ｂの曲線区間３１０Ａ、３１０Ｂが最も大きく変曲された状態であって、エネルギー蓄積率は最高値に達してあり、原に復しようとする傾向の弾性復原力は最も強い状態である。この時を遷移点にして前記マウントプレート２００がもっと移動することになれば、瞬間的に均衡が破れながらカバーが自動で開くことになる。これは、前記遷移点を過ぎながらスプリング３００が原に複しようと広まる方向が反対になって、カバーが開こうとする方向と一致することになったためである。一方、前記遷移点に達する前に加えられていた外力が除去されれば、スプリング３００が原に複しようとする傾向によりカバーは原状態に閉じることになる。このように、前記遷移点を過ぎることになれば、マウントプレート２００が瞬く間に上方に移動して図８のようになる。図８は、携帯端末機のカバーがメイン本体で完全に開かれた状態である。この際、前記第１支持点３５１Ａと第２支持点３５１Ｂは対角方向の上下位置のみ変化されて初めのように遠ざかった状態になって、前記スプリング３００の曲線区間３１０Ａ、３１０Ｂは自然に弛緩した状態となる。したがって、外力が加えられない限り、カバーが開かれた状態を維持しようとする傾向を有することになる。
【００４４】
図９は本発明の変形された実施形態に係るスプリングを含んでいるヒンジモジュールの分解斜視図であり、図１０は本発明の変形された実施形態に係る単層スプリングを説明するための分解斜視図である。
【００４５】
図示したように、変形された実施形態に係る本発明のスプリング４００は、連結体４３０が第１弾性体４００Ａと第２弾性体４００Ｂと一体で連結される代わりに、プレート形態の別途部品で設けられて、前記連結体４３０を中心にその左右側に前記第１弾性体４００Ａと第２弾性体４００Ｂが配置されることを特徴とする。
【００４６】
前記連結体４３０は平べったいプレート形態で備えられ、ベースプレート１００とマウントプレート２００と接触時、摩擦抵抗が縮められるようにＰＯＭ（polyoxymethylene）材質で構成される。
【００４７】
前記連結体４３０の両側には前記第１弾性体４００Ａ及び第２弾性体４００Ｂの連結のために、前記第１弾性体４００Ａ及び第２弾性体４００Ｂが挟まれる嵌入溝４３１、４３２が形成される。前記嵌入溝４３１、４３２は、前記第１弾性体４００Ａ及び第２弾性体４００Ｂの端部４６０が位置する部位４３１の場合、前記第１弾性体４００Ａ及び第２弾性体４００Ｂの端部４６０を固定させることができるように、それに合う符合した形態で形成される。しかしながら、前記第１弾性体４００Ａ及び第２弾性体４００Ｂの変曲される曲線区間４１０が位置する部位４３３の場合、前記曲線区間４１０の曲率変化を許すように、外側（左片では左側、右片では右側）へ行くほど広く形成される。これで、前記連結体４３０は前記第１弾性体４００Ａ及び第２弾性体４００Ｂを安定的に支持しながらも弾性力を提供することに必要とする変形は自然に許すことができるのである。前記嵌入溝４３１、４３３の中の１は連結体４３０の前面に、もう１つは連結体４３０の後面に形成される。これは第１弾性体４００Ａ及び第２弾性体４００Ｂが自分らが結合されるベースプレート１００とマウントプレート２００に最大限近接するようにして、製品の厚みを縮められるようにするためである。
【００４８】
このように変形実施形態において、第１弾性体４００Ａ及び第２弾性体４００Ｂと別途に連結体４３０を備える構成によれば、前記連結体４３０をより積極的に活用できる可能性を広めることができる。即ち、前記連結体４３０を柔らかい素材である固体シリコン、または、ポリアセタールで構成することになれば、遷移点に前後して発生する第１弾性体４００Ａ及び第２弾性体４００Ｂの反動による振動及び衝撃を效果的に吸収するようにすることができる。併せて、カバーの開閉をより柔らかくすることができる。
【００４９】
図１１乃至図１３は、変形された実施形態において、カバーの開閉に係る本発明のスプリング動作を説明するための参照図である。
【００５０】
図１１乃至図１３は、各々携帯端末機のメイン本体に対してカバーが閉じている状態、開く途中の遷移点を過ぎている状態、完全に開かれている状態が図示されたものである。
【００５１】
このような変形された形態のスプリング４００は、変形前スプリング３００に比較してカバーの開閉時の動作がほぼ違わない。即ち、カバーの開閉の際、第１弾性体４００Ａ及び第２弾性体４００Ｂの曲線区間４１０で変曲が生じながら半自動開閉のために要求される弾性力が提供できることになる。ここで、前記連結体４３０の嵌入溝４３１、４３３のうち、第１弾性体４００Ａ及び第２弾性体４００Ｂの曲線区間４１０が位置する部位４３３が広く形成されて前記曲線区間４１０で変曲が妨害を受けないで、自然に生じることを確認することができる。
【００５２】
以上、本発明の好ましい実施形態を説明したが、本発明は多様な変化と変更及び均等物を使用することができる。本発明は、前記実施形態を適切に変形して同一に応用できることが明確である。したがって、前記記載内容は、特許請求範囲の限界により決まる本発明の範囲を限るのでない。
【図面の簡単な説明】
【００５３】
【図１】従来技術のトーションスプリングを用いた携帯端末機用ヒンジモジュールを示す斜視図である。
【図２】本発明による携帯端末機のスライディング開閉状態を示す使用状態図である。
【図３】本発明による携帯端末機のスライディング開閉状態を示す使用状態図である。
【図４】本発明の単層スプリングを含んでいるヒンジモジュールの分解斜視図である。
【図５】本発明による単層スプリングを説明するための平面図である。
【図６】本発明に係るヒンジモジュールの動作を説明するための参照図である。
【図７】本発明に係るヒンジモジュールの動作を説明するための参照図である。
【図８】本発明に係るヒンジモジュールの動作を説明するための参照図である。
【図９】本発明の変形された実施形態に係るスプリングを含んでいるヒンジモジュールの分解斜視図である。
【図１０】本発明の変形された実施形態に係る単層スプリングを説明するための分解斜視図である。
【図１１】変形された実施形態におけるカバーの開閉に係る本発明のスプリング動作を説明するための参照図である。
【図１２】変形された実施形態におけるカバーの開閉に係る本発明のスプリング動作を説明するための参照図である。
【図１３】変形された実施形態におけるカバーの開閉に係る本発明のスプリング動作を説明するための参照図である。
【符号の説明】
【００５４】
１００    ベースプレート
１１０    嵌入部
１３０    ブラケット
２００    マウントプレート
２１０    スライディング片
３００    スプリング
３１０Ａ、３１０Ｂ    曲線区間
３３０    連結体
３５０Ａ    第１弾性体
３５０Ｂ    第２弾性体
【図１】
2008170002.tif 000003
【図２】
2008170002.tif 000004
【図３】
2008170002.tif 000005
【図４】
2008170002.tif 000006
【図５】
2008170002.tif 000007
【図６】
2008170002.tif 000008
【図７】
2008170002.tif 000009
【図８】
2008170002.tif 000010
【図９】
2008170002.tif 000011
【図１０】
2008170002.tif 000012
【図１１】
2008170002.tif 000013
【図１２】
2008170002.tif 000014
【図１３】
2008170002.tif 000015